(57)【要約】本発明は、無線通信システムのスケジューラ（１２０）においてスケジューリングアルゴリズムを実行する方法に関し、この方法は、リソース制約を満たすために、スケジューリングフレームにおいて、通信ユニットに割り当てられる最少のリソースを示す最少リソースパラメータを、通信ユニット（２００）から取得するステップと、最少リソースパラメータに従って、スケジューリングフレームにおいて無線アクセスのための割当てユニットを通信ユニットにスケジューリングするステップとを有する。また、本発明は、最少リソースパラメータに従って無線アクセスのための割当てユニットをスケジューリングフレームにおいて通信ユニット（２００）にスケジューリングするスケジューリングアルゴリズムに用いられる最少リソースパラメータを生成する、無線通信ネットワークの通信ユニットにおいて実行される方法に関し、この方法は、スケジューリングフレームの処理に消費される電力の判定に基づいて最少リソースパラメータを算出するステップと、算出される最少リソースパラメータをスケジューラにシグナリングするステップとを有する。
2007531429.tif 000002
【特許請求の範囲】
【請求項１】
無線通信システムのスケジューラにおいてスケジューリングアルゴリズムを実行する方法であって、
リソース制約を満たすためにスケジューリングフレームにおいて通信ユニットに割り当てられる最少リソースを示す最少リソースパラメータを、前記通信ユニットから取得するステップと、
前記最少リソースパラメータに従って、スケジューリングフレームにおいて、無線アクセスのための割当てユニットを前記通信ユニットにスケジューリングするステップと、
を有する方法。
【請求項２】
最少リソースパラメータに従って無線アクセスのための割当てユニットをスケジューリングフレームにおいて通信ユニットにスケジューリングするスケジューリングアルゴリズムに用いられる前記最少リソースパラメータを生成する、無線通信ネットワークの通信ユニットにおいて実行される方法であって、
前記通信ユニットにおいて前記スケジューリングフレームの処理に消費される電力の判定に基づいて、前記最少リソースパラメータを算出するステップと、
算出される最少リソースパラメータをスケジューラにシグナリングするステップと、
を有する方法。
【請求項３】
前記最少リソースパラメータは、スケジューリングフレームにおいてユーザまたはサービスに対してスケジューリングされる割当てユニットの最小数を表す、
請求項１または請求項２記載の方法。
【請求項４】
前記最少リソースパラメータは、ユーザまたはサービスに対するスケジューリングフレームあたりの情報ビットの最小数を表す、
請求項１から請求項３のいずれかに記載の方法。
【請求項５】
前記最少リソースパラメータは、前記通信ユニットにおいて無線アクセス中に消費される処理・動作電力に対する処理情報ビットの最小比を表す、
請求項１から請求項４のいずれかに記載の方法。
【請求項６】
前記最少リソースパラメータは、スケジューリングフレームにおいて電力効率閾値を超過するのに十分な数量を表す、
請求項１から請求項５のいずれかに記載の方法。
【請求項７】
前記最少リソースパラメータは、前記通信ユニットから前記スケジューラに周期的にシグナリングされる、
請求項１から請求項６のいずれかに記載の方法。
【請求項８】
前記最少リソースパラメータは、前記スケジューラによる要求時に、前記通信ユニットから前記スケジューラにシグナリングされる、
請求項１から請求項７のいずれかに記載の方法。
【請求項９】
前記最少リソースパラメータのシグナリングは、電力管理条件の達成時に前記通信ユニットにより始動される、
請求項１から請求項８のいずれかに記載の方法。
【請求項１０】
前記スケジューリングするステップは、チャネル条件、送信に使用可能なデータ量、サービス品質、遅延、データレートおよびキャリア対干渉比のスケジューリングパラメータのうちの少なくとも１つをさらに考慮するステップを有する、
請求項１から請求項９のいずれかに記載の方法。
【請求項１１】
前記スケジューリングフレームは、時分割、周波数分割または符号分割のうち少なくとも１つのフレーム構造を有する、
請求項１から請求項１０のいずれかに記載の方法。
【請求項１２】
前記割当てユニットは、送信可能情報ビット、インターネットプロトコルパケット、符号ブロックまたは変調シンボルのうちのいずれかの数量を有する、
請求項１から請求項１１のいずれかに記載の方法。
【請求項１３】
前記最少リソースパラメータは、前記割当てユニットが送信されるデータチャネルに関連付けられた別の制御チャネルで、前記通信ユニットによりシグナリングされる、
請求項１から請求項１２のいずれかに記載の方法。
【請求項１４】
前記算出するステップは、前記スケジューリングフレームのために情報ビットに付加される関連オーバヘッドシグナリングを考慮するステップをさらに有する、
請求項２記載の方法。
【請求項１５】
消費される電力の判定は、各処理ビットのための電力ユニット、および／またはスケジューリングフレームの処理に消費される電力ユニットを含む、
請求項２記載の方法。
【請求項１６】
最少リソースパラメータに従って無線アクセスのための割当てユニットをスケジューリングフレームにおいて通信ユニットにスケジューリングするスケジューリングアルゴリズムに用いられる前記最少リソースパラメータを算出し、前記通信ユニットにおいて前記スケジューリングフレームの処理に消費される電力の判定に基づいて前記最少リソースパラメータを算出する手段と、
基地局に、または無線通信システムのネットワークリソースコントローラに、前記最少リソースパラメータをシグナリングする手段と、
を有する移動端末。
【請求項１７】
リソース制約を満たすためにスケジューリングフレームにおいて通信ユニットに割り当てられる最少リソースを示す最少リソースパラメータを取得する手段と、
前記最少リソースパラメータに従って、送信または受信のいずれかのための割当てユニットを移動端末にスケジューリングする手段と、
を有する、無線通信ネットワークの基地局。
【発明の詳細な説明】
【技術分野】
【０００１】
本発明は通信システムに関する。これは特に、スケジューリングアルゴリズムがデータ送受信のためにユーザにチャネルリソースを割り当てる無線通信システムに適用可能である。より具体的には、本発明は、独立請求項１記載のスケジューリングアルゴリズムを実行する方法、および独立請求項２記載のスケジューリングアルゴリズムに用いられる最少リソースパラメータを算出する方法に関する。
【背景技術】
【０００２】
セルラー移動通信システムにおいて、移動局は通常、タイムスロット、周波数帯域、符号系列、またはこれらの組み合わせのようなチャネルリソースを用いて、基地局に情報を送信したり基地局から情報を受信したりする。これらのリソースは一般に、通信システムのユーザ間で共有される。
【０００３】
アドホック移動通信システムにおいて、無線アクセスポイントは通常、タイムスロット、周波数帯域、符号系列、またはこれらの組み合わせのようなチャネルリソースを用いて、同じアドホックネットワーク内の他の無線アクセスポイントに情報を送信したりそこから情報を受信したりする。これらのリソースは一般に、通信システムのユーザ間で共有される。このようなアドホックネットワークには、アドホックネットワークを管理する専用のマスタアクセスポイントがあり得る。あるいは、１つの無線アクセスポイントが、アドホックネットワークの管理のためにマスタアクセスポイント機能を採用することができる。
【０００４】
セルラーの基地局とアドホックのマスタアクセスポイントとがそれらのカバレッジ（coverage）の領域内のリソースおよびユーザを管理する責務の少なくとも一部を共有することは、当業者には明らかである。同様に、アドホックネットワーク内の無線アクセスポイントの役割は、セルラー無線システム内の移動体装置の役割とかなり共通している。簡潔さの問題のために、以下の説明は、セルラー無線システムに言及する。本発明をアドホックに適用する場合に必要な変更は、当業者には、この説明から容易に導出され得る。
【０００５】
無線通信において、データの送信または受信に伴う全ての動作を、データの処理という。データを処理するために、移動体装置は、その装備のために動作・処理電力を消費しなければならない。この電力が消費される間に移動体受信機が多くのデータを処理すれば、経済的な観点では、最適な電力消費が得られる。一方、電力が消費される間に処理されるデータがなければ、あるいは少なければ、この電力はむしろ浪費される。
【０００６】
チャネルリソースを介するユーザへのデータ割当ては通常、スケジューリングアルゴリズムにより行われる。少なくともダウンリンク、すなわち基地局から移動端末への送信方向では、このようなスケジューラが通常、基地局において、または通信システム内の移動体エンティティではない部分において、動作している。このようなスケジューラは通常、サービスデータレートやチャネル状態のようなパラメータを評価するが、前述したような経済的な要素は考慮しない。アップリンク、すなわち移動端末から基地局への送信方向でさえ、スケジューラは、中心ノード（例えば、セルラーシステムでは基地局、アドホックネットワークではマスタ局）において動作してリソースを割り当てることができる。そして、このような中心ノードによるスケジューリングの結果は、移動体エンティティに送信され得る。
【０００７】
動的チャネル割当て（ＤＣＡ）方式を用いる無線通信システムでは、エアインタフェースリソースは、基地局（ＢＳ）と複数の移動端末（ＭＴ）との間のリンクに動的に割り当てられる。図１には、ＢＳがサービス領域内の幾つかのＭＴにサービスを提供する典型的な通信システムのレイアウトが示される。エアインタフェースリソースは通常、論理チャネルにより規定され、論理チャネルは、例えば、ＣＤＭＡシステムにおける１つもしくは複数の符号、ＯＦＤＭシステムにおける１つもしくは複数のサブキャリア、ＴＤＭＡシステム（例えばＧＳＭ）における１つもしくは複数のタイムスロット、またはＯＣＤＭＡもしくはＭＣ−ＣＤＭＡシステムにおけるそれらの組み合わせに相当する。ＤＣＡはアップリンクおよびダウンリンクに適用可能である。
【０００８】
あるスケジュール対象（scheduled）ＭＴに対するスケジューリングフレーム内のデータレートは、適応変調符号化（ＡＭＣ）を用いて、動的に変調符号化方式を変更することにより、それぞれのリンクの瞬時チャネル品質に適応されることとなる。ＡＭＣは、典型的にはＤＣＡと併用される。
【０００９】
ＤＣＡとＡＭＣとを用いるシステムでは、いわゆるスケジューラは、どのリソースをどのＭＴに割り当てるかを判断する。一般に用いられる技法は、集中スケジューリング（centralized scheduling）を用いることであり、この場合、スケジューラは、ＢＳに設けられ、ＭＴへのリンクのチャネル品質情報、または特定のリンクについての提供トラフィック（offered traffic）（例えば、特定のＭＴへの送信に使用可能なデータ量）のようなサイド情報（side information）に基づいて、その判断を実行する。
【００１０】
スケジューラの共通の目的は、ユーザ間の公平性を達成すること、システムスループットを最大化すること、および／またはスケジュール対象移動端末により実行されるサービスのサービス品質（ＱｏＳ）要件（例えば、遅延、データレート、損失レート、ジッタ）を満たすことである。従来技術の無線通信システムでは、スケジューラはパケットベースで動作する。
【００１１】
次のようなスケジューラが、無線通信の分野ではよく知られている。
●  ラウンドロビン（ＲＲ）スケジューラ
このスケジューラは、チャネル条件とは独立に全てのＭＳに均等なエアインタフェースリソースを割り当てて、これによりリソースの公平な共有を実現する。
●  最大レート（ＭＲ）または最大Ｃ／Ｉ（ＭＣ）スケジューラ
このスケジューラは、瞬時データレート（キャリア対干渉Ｃ／Ｉ比）が最大となる可能性のあるユーザを選択する。これは、最大のシステムスループットを実現するが、ユーザ間の公平性を無視する。
●  釣り合いの取れた公平性の（ＰＦ：Proportional Fair）スケジューラ
このスケジューラは、規定された時間窓において各ユーザに送信される平均データレートを維持して、平均チャネル条件に対する瞬時の比（または平均データレートに対する瞬時的に可能性のあるデータレートの比）を検査する。このスケジューラは、ＲＲスケジューリングに対してシステムスループットを向上させつつ、長期的公平性をある程度維持する。
【００１２】
スケジューラの構成および機能についてのより詳細な情報は例えば特許文献１から得られる。この文献は、通信リソースを共有する複数のユーザをスケジューリングする方法を開示し、特に、ＱｏＳの考慮に重点を置いた高データレート無線送信に関する。
【００１３】
現行システムでは、端末は、ユーザまたはサービスを満たすためにどれだけのデータレートが必要であるかをスケジューラに知らせる信号を送信することができる。これは、平均接続（またはサービス）データレートおよび最大許容遅延を伴い得る。しかし、ＢＳのスケジューラは、データ受信のための電力消費についてＭＴが効率的に動作しているか否かを認識することができない。
【特許文献１】米国特許出願公開第２００３／０１０４８１７号明細書
【発明の開示】
【００１４】
本発明の目的は、動作・処理電力の経済的に適度な消費で受信機が動作することを可能にするスケジューリングアルゴリズムを実行する方法を提供することである。
【００１５】
さらなる目的は、フレームの効率的スケジューリングを可能にするスケジューリングアルゴリズムに用いられる最少リソースパラメータを生成する方法を提供することである。
【００１６】
上記目的は、独立請求項１および独立請求項２に記載の方法により解決される。
【００１７】
本発明は、データ処理のための電力消費についての情報をスケジューラに提供するために、例えば移動端末または基地局のいずれかであり得る通信ユニットから最少リソースパラメータのシグナリングを提供するという思想に基づいている。このシグナリングは、通信ユニットへの無線アクセスのためのスケジューリングフレームにおいてスケジューラにより割り当てられるべきチャネルリソースの最小量についての情報を搬送する。無線アクセスは、第２の通信ユニットもしくは例えばセルラーシステム、そのセクタまたはアドホックネットワークのような無線通信ネットワーク内のノード（例えば、基地局、移動端末、無線アクセスポイント）とのデータ送受信のために、第１の通信ユニットが少なくとも一部の無線リソース（例えば、論理チャネル、物理チャネル、周波数帯、タイムスロット、符号など）にアクセスすることとして理解される。したがってこのようなシグナリングは、異なる信号インスタンスにおいて、または同時に、ダウンリンク無線アクセスとアップリンク無線アクセスとについての情報を搬送することができる。
【００１８】
好適な実施の形態によれば、最少リソースパラメータは、スケジューリングフレームにおいて、ユーザまたはサービスに対する割当てユニットの最小数または情報ビットの最小数を表し得る。変形によれば、最少リソースパラメータは、無線アクセス中の活動において消費される処理・動作電力に対する処理情報ビットの最小比を表す。
【００１９】
他の好適な実施の形態によれば、最少リソースパラメータは、通信ユニットから周期的にシグナリングされる。あるいは、それはスケジューラにより要求されるか、例えばバッテリ電力状態または通信のための電力リンク予算（power link budget）のような電力管理条件の達成時に通信ユニットにより始動される。
【００２０】
有利には、チャネル条件、送信に使用可能なデータ量、サービス品質、遅延、データレートおよびキャリア対干渉比のような追加スケジューリングパラメータが、スケジューリングアルゴリズムにおいて考慮される。
【００２１】
他の好適な実施の形態によれば、消費電力の判定は、各処理ビットに対する電力ユニット（可変コスト）、および／またはスケジューリングフレームの処理のために消費される電力ユニット（固定コスト）を考慮することを含む。このようにして、消費電力の非常に精確な判定を得ることができる。
【発明を実施するための最良の形態】
【００２２】
添付の図面を参照しながら次の好適な実施の形態を参照しながら本発明について説明する。
【００２３】
図２から図４は、任意の数の割当てユニットに基づくフレームを、時間領域（図２）、時間−周波数領域（図３）、または時間−周波数−符号領域（図４）においてスケジューリングする概念を示す。
【００２４】
前述したように、スケジューリングは、基地局、または通信システムの移動体装置ではない部分に通常設けられるスケジューラにおいて実行される。
【００２５】
通常、スケジューリングは、ある量の転送可能な情報ビットを有する割当てユニット（例えば、時間／周波数／符号領域において）に適用される。しかしながら、実装のためには、他の数量のほうがより簡単に取得、算出または推定することができ、あるいは、ビット数よりも表現し得る。このような数量は、変調シンボル、ＦＥＣ符号ブロックまたはインターネットプロトコルパケットの数を含むが、これらには限定されない。
【００２６】
一般に、隣接する多数の割当てユニットを単一のユーザにスケジューリングすることが好ましい。典型的には、基地局から移動端末に送られる必要のあるシグナリング量を削減するために、周波数帯全体が１ユーザに割り当てられる。
【００２７】
図５には、送信機が、全体として参照番号１００で示され、受信機が、番号２００で示される。同図から明らかなように、本発明を例示するのに必要な細部のみが示される。送信機および受信機の残りの機能ユニットは、当業者には知られており、説明を簡潔に保つために省略する。送信機は、スケジューリングフレームにおいてリソース（割当てユニット）をスケジューリングするスケジューラ１２０を有する。前述したように、ネットワークまたは移動受信機のいずれかから受信されるスケジューリングパラメータは、データパケットを送信することによってユーザにサービスを提供するために通信を確立するスケジューリングアルゴリズムを規定する。
【００２８】
受信機２００は、電力管理ユニット２１０と、以下により詳しく説明するように最少リソースパラメータを算出する算出ユニット２２０とを有する。
【００２９】
最少リソースパラメータに基づいて、スケジューラは、現在使用可能なリソースが最少リソースパラメータを満たすことができるか否かを判定し、そうである場合は、スケジューリングフレームにおいてその特定のユーザに対して割当てユニットをスケジューリングする。スケジューラが、リソース不足により必要な最少リソースパラメータを満たすことができない場合、その特定のユーザに対してスケジューリングされる割当てユニットはない。これは、残りのユーザ間でリソースを共有できるという利点を有する。さらに、受信機が経済的にそして適度な動作を行うことが確保される。すなわち、最小量の情報データよりも少ないデータの受信のための電力の消費が回避される。
【００３０】
最少リソースの制約を満たさない場合のスケジューリングフレームにおける割当てユニット解放についてのさらなる方策は、同時係属国際特許出願「最少リソーススケジューリングでスケジューリングアルゴリズムを実行する方法およびスケジューラ（A Method and Scheduler for Performing a Scheduling Algorithm with Minimum Resource Scheduling）」（本出願人名義で２００４年３月３１日に出願）に記載されている。
【００３１】
図６は、本発明に係るスケジューリングアルゴリズムを実行する送信機（例えば、基地局または移動局のいずれか）の詳細構成をブロック図形式で例示的に示す。
【００３２】
同図から明らかなように、送信機１００は、スケジューラ１２０、制御ユニット１３０、および検査・解放ユニット１１０を有する。送信機における全ての他の従来の詳細構成は、本発明に直接影響を及ぼさない限り省略される。制御ユニット１３０と共にスケジューラ１２０は、スケジューリングアルゴリズムを行う。検査・解放ユニット１１０は、図７および図８に示されるような方法で受信機２００（図５）において生成される最少リソースパラメータを受信する。最少リソースパラメータは、好ましくは、バッファメモリ１５０に格納される。バッファメモリ１５０は、制御ユニット１３０によりアクセスされ、システム初期化時に、または、受信機もしくはシステムネットワークコントローラからの対応コマンド受信時に、更新可能である。
【００３３】
最後に、送信機１００（および受信機２００）は、そのアンテナを用いてエアインタフェース上でデータおよび制御信号を送受信する送受信回路１４０を有する。前述したように、最少リソースパラメータに関連するシグナリングデータは、システムの他の通信ユニットに送信され、またはそこから受信される。また、論理データチャネルおよび制御チャネルを用いる送受信動作の詳細は、通信分野における当業者には知られている。
【００３４】
上記説明は、送信機としての役割を実行する基地局においてスケジューラを実装することに焦点を当てたが、本発明の原理は、受信ユニットとしての基地局にデータを送信する送信機としての役割を実行する移動端末（すなわちアップリンク）に当業者により容易に適用可能である。この場合、スケジューラは、前述のスケジューリングアルゴリズムを実行するために、移動局において実装可能である。
【００３５】
図７は、最少リソースパラメータがデータ受信に適用可能である本発明の実施の形態に係る最少リソースパラメータの算出のための本質的なステップを示す。したがって、最少リソースパラメータは、スケジューリングフレームあたり受信のために消費される電力に対する受信情報ビットの比により表される。
【００３６】
この比を算出するために、まず、ステップ３１０においてスケジューリングフレームあたりの情報ビット数が判定される。さらに、ステップ３２０において、スケジューリングフレームあたりの処理・動作電力を含む情報ビットの受信に消費される電力ユニットが判定される。電力ユニットは、オーバヘッドシグナリング、受信機回路の能動的動作（active operation）、ＣＲＣチェックサムなどを含む１スケジューリングフレームの受信に消費されるものに、粗く分割され得る（参照番号３２２で示される）。これらの電力ユニットは、スケジューリングフレームあたり受信される情報の量に直接の関連を示さないので、これらの電力ユニットは固定的なコストとして一般に特色づけられる。
【００３７】
さらに、可変のコスト要因を表す各受信ビットに対して消費される電力ユニットも考慮に入れられる（参照番号３２４で示される）。
【００３８】
判定ステップ３１０および判定ステップ３２０の結果に基づいて、消費される処理・動作電力に対する受信情報ビットの比は、次式により規定され得る。
【００３９】
【数１】
2007531429.tif 000003
明らかに、ηが大きいほど、移動端末は経済的観点で良好に動作することができる。受信機が経済的に適度に動作しているか否かを判定するために、その受信機に割り当てられるリソースは、あるηｔｈに等価である最少リソース閾値ρｔｈを超過するべきである。異なる移動端末が異なる構成を用いるため、通信システムを計画する際に予測できない様々な端末の能力があろう。したがって、このような閾値を、エアインタフェースを用いてネットワークにシグナリングする必要がある。
【００４０】
通常、消費される可変の電力ユニットは、主に、処理されるビット数に依存する。しかしながら、可変のコストが他の数量に依存することもある。このような数量は、処理される割当てユニット、変調シンボル、ＦＥＣ符号ブロックまたはインターネットプロトコルパケットの数を含むが、これらには限定されない。
【００４１】
図８は、閾値比を超過するスケジューリングフレームに対する割当てユニットの最小数を算出する他の実施の形態を示す。最小数の割当てリソースρｔｈを算出するために、まず、スケジューリングフレームあたりの受信のための消費電力に対する受信情報ビットのｎｔｈの閾値が、ネットワークにより与えられるように取得される（ステップ３４０）。さらに、ステップ３５０において、受信に消費される電力ユニット、スケジューリングフレームあたりの処理・動作電力が判定される必要がある。ステップ３６０において、ステップ３４０およびステップ３５０の結果に基づいて、閾値ｎｔｈを超過するのに必要な最小数の割当てユニットρｔｈが、下記で与えられる式（２）により算出される。
【００４２】
割当てリソースと受信情報ビットとの間の正確な関係は、通信システムに依存することとなる。大抵いつもは、純粋な情報データの送信に加えて何らかの種類の追加シグナリングがあるであろう。その結果、電力ユニットコストは、固定コストと可変コストとに分割され得る。
【００４３】
例：
この例のために次の前提を適用する：
１．１割当てユニット（ａｕ）は１０００情報ビットを送信可能である。
２．ＣＲＣチェックサムは、１スケジューリングフレームの情報ビットに付加され、サイズは２４ビット（＝固定コスト）である。
３．関連シグナリングのために、４８ビットの追加オーバヘッドが各スケジューリングフレームにおいて送信される必要がある（＝固定コスト）。
４．各受信ビットのために、受信機は、１電力ユニット（ｐｕ）を消費しなければならない（固定コストおよび可変コストの両方に当てはまり得る）。
５．能動的動作全体のために、受信機は、スケジューリングフレームあたり２０００ｐｕを消費しなければならない（＝固定コスト）。
【００４４】
ケース１
スケジューリングフレームρａｌｌｏｃあたりの割当てリソースは、あるユーザに１割当てユニットを送信するのに十分であり、ρａｌｌｏｃ＝１ａｕ／ｆｒａｍｅである。
したがって、
【数２】
2007531429.tif 000004
である。
【００４５】
ケース２
割当てリソースは、あるユーザに１６割当てユニットを送信するのに十分であり、ρａｌｌｏｃ＝１６ａｕ／ｆｒａｍｅである。
したがって、
【数３】
2007531429.tif 000005
である。
【００４６】
ケース３
ηｔｈ＝０．５ｂｉｔ／ｐｕの閾値が（例えば通信システムにより）与えられる場合、その閾値を超過するのに必要な最小数の割当てユニットは、次により得られる。
【数４】
2007531429.tif 000006
したがって、スケジューリングフレームにおいて割り当てられる最小数のリソースρａｌｌｏｃ≧ρｔｈは、３以上であるべきである。
【００４７】
閾値ηｔｈは、通信システム設計により与えられ得る。すなわち、閾値ηｔｈは、ＢＳ（またはネットワーク）から移動端末にシグナリングされるか、例えばバッテリ状態に応じて移動端末により自発的に（autonomously）決定される。
【００４８】
さらに、提案方法をデータ送信に拡張すること（例えばアップリンクにおいて）は、スケジューラが基地局にあるか移動端末にあるかに関係なく、当業者には明らかである。
【００４９】
移動端末によりシグナリングは、周期的に（例えば、各フレーム、指定された時間間隔あたり１、など）、またはネットワークまたは基地局による特別要求時に、送信され得る。他のメカニズムは、移動端末による始動時に、例えば、バッテリ容量が一定レベルよりも下がった場合に、最少リソースパラメータのシグナリングが影響されるように実装され得る。このように、ある範囲のリソースまたはある数のビットを表す経済クラスの値が規定され得る（例えば、クラス１は１〜２割当てユニットを表し、クラス２は３〜５割当てユニットを表し、クラスＡは１０００〜１５００ビットを表すことができ、クラスＢは１５０１〜３８００ビットを表すことができる、など）。
【００５０】
シグナリングが必要になる別のあり得る条件は、基地局と移動端末との接続または呼のセットアップまたは確立の間である。
【００５１】
最後に、上で例示的に算出または取得された閾値は、移動端末の実際のバッテリ電力状態、固定電力線ネットワークへのあり得る電力接続、接続の持続時間、または基地局と移動端末との間の通信のための電力リンク予算により影響され得る。
【図面の簡単な説明】
【００５２】
【図１】１つの基地局と６つの移動端末とから成るセルラーの概念を示す。
【図２】２つの割当てユニットが１つのスケジューリングフレームを形成する時分割フレーム構成の一例を示す。
【図３】１０個の割当てユニットが１つのスケジューリングフレームを形成する時分割／周波数分割フレーム構成の一例を示す。
【図４】１８個の割当てユニットが１つのスケジューリングフレームを形成する時分割／周波数分割／符号分割フレーム構成の一例を示す。
【図５】本発明に係る方法を実行するよう構成された受信機および送信機の詳細構成を示す。
【図６】図５に示す送信機のさらなる細部を示す。
【図７】本発明の一実施の形態に係る最少リソースパラメータを算出するためのフロー図を示す。
【図８】他の好適な実施の形態に係る最少リソースパラメータを算出するためのフロー図を示す。
【図１】
2007531429.tif 000007
【図２】
2007531429.tif 000008
【図３】
2007531429.tif 000009
【図４】
2007531429.tif 000010
【図５】
2007531429.tif 000011
【図６】
2007531429.tif 000012
【図７】
2007531429.tif 000013
【図８】
2007531429.tif 000014
【国際調査報告】
2007531429.tif 000015
2007531429.tif 000016